(57)【要約】      （修正有）【課題】コンピュータ画面上で電子成果簿のどの箇所にカーソルを移動すれば関連情報が表示されるかについて、紙ベースの段階でも一目でわかる電子成果簿の紙媒体を提供する。【解決手段】複数ページから成る紙ベースの成果簿の内容が電子データ化されている電子成果簿に対応する紙媒体１であって、コンピュータ画面上に表示される電子成果簿と同じレイアウトにより構成され、電子成果簿がコンピュータ画面上の所定箇所にカーソルを移動することで当該箇所に記載の内容と関連する情報がコメント表示される場合に、紙媒体１における対応する当該箇所に所定目印１２が記されている構成を採る。【選択図】図１
0003181515.tif 000002
【実用新案登録請求の範囲】
【請求項１】
複数ページから成る紙ベースの成果簿の内容が電子データ化されている電子成果簿に対応する紙媒体であって、
コンピュータ画面上に表示される電子成果簿と同じレイアウトにより構成され、電子成果簿がコンピュータ画面上の所定箇所にカーソルを移動することで当該箇所に記載の内容と関連する情報がコメント表示される場合に、紙媒体における対応する当該箇所に所定の目印が付されていることを特徴とする電子成果簿の紙媒体。
【請求項２】
前記電子成果簿の紙媒体において、
前記目印が、太枠、色枠、網かけ、塗り潰し、特定語句のうちいずれか一つ若しくは複数の組み合わせから成ることを特徴とする請求項１に記載の電子成果簿の紙媒体。
【考案の詳細な説明】
【技術分野】
【０００１】
本考案は、電子成果簿に対応した紙媒体に関するものである。
【背景技術】
【０００２】
公共事業の起業者の発注に係る建物補償や工作物補償等の調査業務に基づく、受注業者が作成し納品した前記建物補償や工作物補償に関する各種補償額算定書や数量計算書等が綴じ込まれた紙ベースの成果簿が存在する。そして納品後に、起業者側において、前記成果簿の検証作業を行う場合において、かかる成果簿は紙ベースで出来ているため、その検証作業は、関連事項について記載された紙面を手で繰り返しめくりながら行われることとなる
【０００３】
しかしながら、かかる紙ベースの成果簿は、一案件につき数百ページに及ぶものも少なくなく、あるいは、一冊とは限らずに二冊・三冊それ以上に及ぶこともあり、そのような膨大な記載内容の中から所定の関連事項を一つ一つ探し出して検証を行うことは非常に煩雑であると共に、大変な時間的ロスを生ずることとなる。また、検証作業に関する経験や知識により、作業効率・作業時間が左右されることにもなる。
【０００４】
そこで本出願人は、かかる成果簿の検証作業を容易かつ効率的に行うべく、紙ベースの成果簿の検証作業を援助する電子成果簿を発明し、特許文献１に列挙した特許出願を行った。具体的には、紙ベースの成果簿が単に電子化されているだけではなく、検証作業を容易にすべく、コンピュータ画面上でカーソルを所定箇所に移動すると、該箇所の記載内容に関連する紙ベースの成果簿のページ番号その他の情報がコメント表示されることで、作業者が表示された情報に基づき検証すべき数字の関連事項の確認を容易にするなど、紙ベースの成果簿の検証をし易くしたものである。これにより、紙ベースの成果簿の検証作業を電子成果簿が補助することで、効率的な検証作業が可能となる。
【０００５】
しかしながら、かかる電子成果簿の何処に情報が隠れていて、何処にカーソルを位置させれば情報が表示されるのかについて、紙ベースの成果簿からはわからないのが現状であり、それが識別できればより効率的な検証作業に資するものと考えられる。
【０００６】
【特許文献１】特開２０１１−２５８１６４号公報
【考案の開示】
【考案が解決しようとする課題】
【０００７】
そこで、本考案は、上記事情に鑑みてなされたものであり、コンピュータ画面上で電子成果簿のどの箇所にカーソルを移動すれば関連情報が表示されているかについて、紙ベースの段階でも一目でわかる電子成果簿の紙媒体を提供することを課題としている。
【課題を解決するための手段】
【０００８】
このような課題を解決するために、請求項１に係る考案は、複数ページから成る紙ベースの成果簿の内容が電子データ化されている電子成果簿に対応する紙媒体であって、コンピュータ画面上に表示される電子成果簿と同じレイアウトにより構成され、電子成果簿がコンピュータ画面上の所定箇所にカーソルを移動することで当該箇所に記載の内容と関連する情報がコメント表示される場合に、紙媒体における対応する当該箇所に所定の目印が付されている構成となっている。
【０００９】
また、請求項２に係る考案は、前記目印が、太枠、色枠、網かけ、塗り潰し、特定語句のうちいずれか一つ若しくは複数の組み合わせから成る構成となっている。
【考案の効果】
【００１０】
本考案に係る電子成果簿の紙媒体によれば、電子成果簿の何処に情報が隠れていて、何処にカーソルを位置させればその情報が表示されるのかについて、紙ベースの成果簿から容易に識別することができるため、効率的な検証作業に資することとなる。
【図面の簡単な説明】
【００１１】
【図１】本考案に係る電子成果簿の紙媒体を示す説明図である。
【図２】本考案に係る電子成果簿の紙媒体の使用態様を示す説明図である。
【考案を実施するための最良の形態】
【００１２】
本考案は、電子成果簿２がコンピュータ画面Ｍ上の所定箇所にカーソルＫを移動することで当該箇所に記載の内容と関連する情報２４がコメント表示される場合に、紙媒体１における対応する当該箇所にも所定目印１２が記されていることを最大の特徴とする。以下、本考案に電子成果簿２の紙媒体１の実施形態について、図面を参照しながら説明する。
【００１３】
なお、本考案は、下記の実施形態に示した構成に特に限定されるものではなく、本考案の技術的思想の要旨に逸脱しない範囲で、任意に変更することができるものである。
【００１４】
また、本考案における成果簿とは、建物補償や工作物補償に関する各種補償額算定書や数量計算書等が綴じ込まれた成果簿に限らず、税務上の決算書や申告書、法律書、取扱説明書、各種学習テキスト、一般書類の目次などが広く含まれる概念である。
さらに、本考案における紙媒体１とは、基本的には電子成果簿２と対応している紙ベースの成果簿と同一のものを指し示す概念であるが、紙ベースの成果簿とは別の独立したものとして存在する場合も含む概念である。
【００１５】
図１は、本考案に係る電子成果簿２の紙媒体１を示す説明図である。
該紙媒体１は、電子成果簿２に対応する紙媒体１であって、コンピュータ画面Ｍ上に表示される電子成果簿２と同じレイアウトにより構成されている。すなわち、電子成果簿２における一のページあるいはシートがそのまま紙媒体１の一のページとしてあるいは複数ページにわたり表示されており、少なくとも紙ベースの成果簿に対応している電子データ化された成果簿のページ数あるいはシート数だけ紙媒体１も存在する。このとき、紙媒体１には原則としてページ番号が記載され、逆に電子成果簿２には原則としてページ番号が記載されないこととなる。ただし、かかるページ番号の記載については、特に限定するものではなく、例外も考え得る。
【００１６】
このとき、一の紙媒体１における片面にのみ電子成果簿２の内容が表示されているとは限らず、該紙媒体１の裏面も表示面として使用することが可能である。
また、該紙媒体１の片面に一ページのみが表示されるとは限らず、場合によっては複数ページがレイアウト表示される態様も考え得る。
このように、紙媒体１の裏面を使用したり、片面に複数ページをレイアウト表示することで、紙媒体１の枚数削減を可能にし、省資源化に資することとなる。
【００１７】
本考案に係る紙媒体１の基礎を為す電子成果簿２は、元来複数ページを有する紙ベースの成果簿について、コンピュータ画面Ｍ上で閲覧可能なように電子データ化されているものである。すなわち、紙ベースの成果簿における一のページあるいは複数のページがそのまま電子成果簿２の一のページあるいは一のシートとして表示されており、少なくとも紙ベースの成果簿に対応している電子データ化された成果簿のページ数あるいはシート数だけ紙媒体１も存在する。電子データ化すべき紙ベースの成果簿としては、例えば、建物補償や工作物補償に関する各種補償額算定書や数量計算書等が綴じ込まれた成果簿や、税務上の決算書・申告書、法律書、取扱説明書、各種学習テキスト、一般書類の目次などが挙げられるが、特に限定するものではない。なお、紙ベースの成果簿内に、住民票や土地登記簿謄本、各種図面、写真台帳等が一緒にとじ込められている場合がある。この場合に、当該書面等を電子データ化するかどうかは任意であり、電子データ化されない場合には、電子成果簿２にそれら書面等の電子データは含まれないこととなる。
【００１８】
該電子成果簿２は、ＣＤ−ＲＯＭやＤＶＤ−ＲＯＭ、メモリースティックなどの記憶媒体に記憶されおり、かかる記憶された電子成果簿２をコンピュータＣに読み込ませることによって、紙ベースの成果簿が、そのままコンピュータ画面Ｍ上で閲覧することが可能となるものである。
【００１９】
そして、コンピュータＣに読み込まれ、コンピュータ画面Ｍ上表示された電子成果簿２は、図２に示すように、その所定箇所にカーソルＫを移動すると、当該箇所の記載内容Ａと関連する情報２４がコメント表示される態様となっている。すなわち、記載内容Ａと関連する情報２４とがリンクし、コメントとして表示される態様である。表示される情報２４については、記載内容Ａと関連する情報２４であれば特に限定するものではないが、例えば記載内容Ａが数字である場合にその数字が算出された根拠が記載された紙媒体１のページ番号や計算式などの情報２４が表示されたり、あるいは、記載内容Ａを理解するための情報２４であったり、さらには、記載内容Ａを検証するにあたって注意すべき点などが情報２４として表示されたりすることも考え得る。また、かかる情報２４として、記載内容Ａに関連する画像が表示されたり、あるいは音声が流れる場合も考えられる。なお、カーソルＫを移動するだけで情報２４が自動表示される態様も可能であるが、無駄な表示を抑止すべく、カーソルＫの移動と併せて所定操作（例えばワンクリック操作）を行うことで情報２４が表示される態様とすることも可能である。
【００２０】
かかる電子成果簿２におけるカーソルＫを移動した際に情報２４がコメント表示される箇所に対応する紙媒体１における当該箇所には、所定の目印１２が付されている。すなわち、紙媒体１の目印１２が付されている箇所に対応する電子成果簿２の当該箇所にカーソルＫを移動することで、当該箇所の記載内容Ａと関連する情報２４を表示することができる。これにより、紙媒体１に記載されている所定記載内容Ａについての検証作業が容易になる。
【００２１】
このとき、紙媒体１に付される目印１２としては、太枠や色枠、網かけや塗り潰し、特定語句などが考えられ、これらのうちいずれか一つを目印１２として採用する態様が考え得る。特定語句については、例えば「参照」や「見ろ」など、種々の語句が考え得る。更には、太枠と網掛けの組み合わせ、色枠と塗り潰しの組み合わせ、これらと特定語句の組み合わせなど、複数種の目印１２を組み合わせて採用する態様も可能である。なお、図１では、目印１２として太枠と塗り潰しを組み合わせた場合について示している。
【００２２】
紙媒体１に目印１２を付するに際し、記載内容Ａ一単位あたり一の目印１２を付する態様が基本となるが、一の記載内容Ａに関連する他の記載内容Ａも含めた隣接する複数単位をまとめて目印１２を付する態様を採用し得る。
【００２３】
以上の通り構成される本考案に係る電子成果簿２の紙媒体１について、その具体的な使用態様を、電子成果簿２が建物補償や工作物補償に関する各種補償額算定書や数量計算書等の成果簿である場合について例示的に説明する。
【００２４】
検証者が紙媒体１（紙ベースの成果簿）を閲覧・参照して検証を行う際、その内容が電子データ化されている電子成果簿２を、コンピュータＣを用いて開く。そして、紙媒体１における検証すべきページを参照しつつ、電子成果簿２における同じページをコンピュータ画面Ｍ上に表示する。紙媒体１の当該ページ内における検証すべき数字などの記載内容Ａに目印１２が付されているか否かを確認し、目印１２が付されていない場合には、当該記載内容Ａには参照すべき情報２４が無いことを意味する。逆に目印１２が付されている場合には、当該記載内容Ａに参照すべき情報２４が存在することを意味し、コンピュータ画面Ｍ上に表示された電子成果簿２における該目印１２に対応する箇所にカーソルＫを移動する。すると当該箇所には吹き出し欄２３が表示され、当該吹き出し欄２３内には、記載内容Ａを記載・算出した根拠となる情報２４、例えば算出根拠が記載された紙媒体１のページ番号や計算式、注意すべき点などがコメント表示される。かかるコメント表示に基づいて、紙媒体１によってページを移動するなどして、記載内容Ａについての根拠を検証することとなる。
【００２５】
以上、紙媒体１及び電子成果簿２が建物補償や工作物補償に関する各種補償額算定書や数量計算書等の成果簿である場合について例示的に説明したが、かかる紙媒体１及び電子成果簿２については、税務上の決算書・申告書、法律書、取扱説明書、各種学習テキスト、一般書類の目次など、あらゆる成果簿について応用することが可能である。
例えば、紙媒体１及び電子成果簿２が税務申告書などの税務書類である場合、申告内容とその根拠となる経費表や決算書等とをリンクさせて、税務申告の検証が容易になる態様が可能である。また、紙媒体１及び電子成果簿２として法律書を採用した場合、条文の準用箇所や類似条文、附則や関連情報２４をリンクさせ、条文検索や解読に有効に機能することとなる。さらには、紙媒体１及び電子成果簿２が解説書その他の文書である場合に、その目次と目次に記載された表題のページ番号とをリンクさせることで、文書検索スピードの向上にも資することが考え得る。
【産業上の利用可能性】
【００２６】
本考案は、紙媒体１及び電子成果簿２として建築関係書類から税務書類、法律書、各種学習テキストその他あらゆる文書が電子データ化されているものについて採用することができ、あらゆる産業上の分野において有益であると解される。しかも、電子成果簿２に対応する紙媒体１に目印１２を付することで、該電子成果簿２のどの記載内容Ａについて関連する情報２４が表示されるかを認識することが可能であって、紙媒体１における当該記載内容Ａの検証作業や参照作業に資すると共に、各種学習科目の履修・習得の効率化などにも資するものである。よって、本考案に係る電子成果簿２の紙媒体１の産業上の利用可能性は大であると思料する。
【符号の説明】
【００２７】
１    紙媒体
２    電子成果簿
１２    目印
２３    吹き出し欄
２４    情報
Ａ    記載内容
Ｃ    コンピュータ
Ｋ    カーソル
Ｍ    コンピュータ画面
【図１】
0003181515.tif 000003
【図２】
0003181515.tif 000004